(57)【要約】【課題】本発明は、様々な方向から落下してくる異物を排除し、車とロープとの間への異物の噛み込みをより確実に防止することができるエレベータの異物噛み込み防止装置を得ることを目的とするものである。【解決手段】異物噛み込み防止装置１０ａ，１０ｂは、巻上機５に固定された保持枠１１と、保持枠１１の内側に保持された異物遮蔽体１２とをそれぞれ有している。各異物遮蔽体１２は、互いに対向する第１及び第２の遮蔽部材１３，１４を有し、所定の長さ範囲に渡ってロープ９を囲むことにより、ロープ９と綱車６との間への異物噛み込みを防止する。第１の遮蔽部材１３には、ロープ９が挿入される複数のロープ溝１３ａが設けられている。同様に、第２の遮蔽部材１４には、ロープ９が挿入される複数のロープ溝１４ａが設けられている。【選択図】図２
2009274809.tif 000002
【特許請求の範囲】
【請求項１】
ロープが巻き掛けられた車の近傍に設けられ、かつ互いに対向する第１及び第２の遮蔽部材を有し、所定の長さ範囲に渡って上記ロープを囲むことにより、上記ロープと上記車との間への異物の噛み込みを防止する異物遮蔽体
を備えていることを特徴とするエレベータの異物噛み込み防止装置。
【請求項２】
上記第１及び第２の遮蔽部材の少なくともいずれか一方には、上記ロープが挿入されるロープ溝が形成されていることを特徴とする請求項１記載のエレベータの異物噛み込み防止装置。
【請求項３】
上記第１及び第２の遮蔽部材は、上記ロープとの摩擦により摩耗する材料により構成されていることを特徴とする請求項１又は請求項２に記載のエレベータの異物噛み込み防止装置。
【請求項４】
上記異物遮蔽体を保持する分割可能な保持枠をさらに備えていることを特徴とする請求項１から請求項３までのいずれか１項に記載のエレベータの異物噛み込み防止装置。
【発明の詳細な説明】
【技術分野】
【０００１】
この発明は、駆動シーブ等の車とロープとの間への異物の噛み込みを防止するエレベータの異物噛み込み防止装置に関するものである。
【背景技術】
【０００２】
従来のエレベータの異物噛み込み防止装置では、上方からの落下物が吊り車とメインロープとの間に侵入しないように、メインロープの吊り車に対する出入口付近に平板状の第１及び第２の排除具が設けられている（例えば、特許文献１参照）。
【０００３】
【特許文献１】特開平５−１０５３６５号公報
【発明の開示】
【発明が解決しようとする課題】
【０００４】
上記のように構成された従来のエレベータの異物噛み込み防止装置では、平板状の第１及び第２の排除具が用いられているため、上方からの落下物は排除することができるが、他の方向から侵入する異物を排除することはできず、例えば、昇降路内に接触し落下方向の変化した異物が吊り車とメインロープとの間に侵入するのを防止するのは難しかった。
【０００５】
この発明は、上記のような課題を解決するためになされたものであり、様々な方向から落下してくる異物を排除し、車とロープとの間への異物の噛み込みをより確実に防止することができるエレベータの異物噛み込み防止装置を得ることを目的とする。
【課題を解決するための手段】
【０００６】
この発明に係るエレベータの異物噛み込み防止装置は、ロープが巻き掛けられた車の近傍に設けられ、かつ互いに対向する第１及び第２の遮蔽部材を有し、所定の長さ範囲に渡ってロープを囲むことにより、ロープと車との間への異物の噛み込みを防止する異物遮蔽体を備えている。
【発明の効果】
【０００７】
この発明のエレベータの異物噛み込み防止装置は、互いに対向する第１及び第２の遮蔽部材を有している異物遮蔽体が所定の長さ範囲に渡ってロープを囲むことにより、様々な方向から落下してくる異物を排除することができ、これにより、ロープと車との間への異物の噛み込みをより確実に防止することができる。
【発明を実施するための最良の形態】
【０００８】
以下、この発明を実施するための最良の形態について、図面を参照して説明する。
実施の形態１．
図１はこの発明の実施の形態１によるエレベータを示す側面図である。図１において、昇降路１内には、かご２及び釣合おもり３が設けられている。かご２の下部には、一対のかご吊り車４が設けられている。釣合おもり３の上部には、釣合おもり吊り車（図示せず）が設けられている。昇降路１内の下部には、かご２及び釣合おもり３を昇降させるための巻上機５が設けられている。巻上機５は、綱車６を有している。また、昇降路１内の上部には、かご返し車７及び釣合おもり返し車８が設けられている。
【０００９】
かご吊り車４、釣合おもり吊り車、綱車６、かご返し車７及び釣合おもり返し車８には、複数のロープ９が巻き掛けられている。各ロープ９の両端部は、昇降路１の上部に固定されている。かご２及び釣合おもり３は、ロープ９により２：１ローピングで昇降路１内に吊り下げられ、巻上機５により昇降される。
【００１０】
綱車６の近傍には、異物噛み込み防止装置１０ａ，１０ｂが設けられている。異物噛み込み防止装置１０ａ，１０ｂは、エレベータの据付時、保守点検時及び通常運転時に上方から落下するコンクリート小片、ボルト、ナット及び小型のゴミ等の異物が各ロープ９と綱車６との間に侵入するのを防止する。
【００１１】
図２は図１の巻上機５を拡大して示す斜視図、図３は図２の異物噛み込み防止装置１０ａを示す分解斜視図、図４は図２の要部を示す側面図である。異物噛み込み防止装置１０ａ，１０ｂは、巻上機５に固定された保持枠１１と、保持枠１１の内側に保持された異物遮蔽体１２とをそれぞれ有している。各異物遮蔽体１２は、互いに対向する第１及び第２の遮蔽部材１３，１４を有し、所定の長さ範囲に渡ってロープ９を囲むことにより、ロープ９と綱車６との間への異物噛み込みを防止する。
【００１２】
保持枠１１は、ロープ９と干渉しない位置で巻上機５に固定されている。また、保持枠１１は、第１及び第２の上枠１１ａ，１１ｂと下枠１１ｃとに分割可能となっている。第１及び第２の上枠１１ａ，１１ｂは、ロープ９をまたいで分割されている。これにより、保持枠１１と第１及び第２の遮蔽部材１３，１４とは、ロープ９を巻き掛けた後でも、巻上機５に対して着脱可能となっている。下枠１１ｃには、下枠１１ｃを巻上機５に固定するための固定部１１ｄが設けられている。
【００１３】
第１の遮蔽部材１３には、ロープ９が挿入される複数のロープ溝１３ａが設けられている。同様に、第２の遮蔽部材１４には、ロープ９が挿入される複数のロープ溝１４ａが設けられている。また、第１及び第２の遮蔽部材１３，１４の材料としては、ロープ９を損傷させることなくロープ９との摩擦で摩耗し経年劣化し難い固形状の材料、例えばＥＰＳ等の発泡スチロールが用いられている。
【００１４】
このようなエレベータの異物噛み込み防止装置１０ａ，１０ｂでは、各ロープ９が異物遮蔽体１２により所定の長さ範囲に渡って囲まれているので、様々な方向からの異物を排除することができ、各ロープ９と綱車６との間への異物の噛み込みをより確実に防止することができる。
【００１５】
ここで、図２〜図４ではロープ９が綱車６から鉛直上方へ延びているが、機器のレイアウトによっては、ロープ９は綱車６から必ずしも鉛直上方へ延びるとは限らない。例えば、図１のレイアウトでは、釣合おもり返し車８が綱車６の真上からずれた位置に配置されているため、ロープ９は、鉛直方向に対して振れ角αを持っている。即ち、ロープ９は、綱車６から遠ざかる方向へ振れ角αの傾きを持っている。また、図１のレイアウトでは、綱車６の回転軸と釣合おもり返し車８の回転軸とが捻れの関係にあるため、ロープ９は、図５に示すような捻れ角βを持っている。
【００１６】
これに対して、実施の形態１では、第１及び第２の遮蔽部材１３，１４の材料としてロープ９との摩擦で摩耗し易い材料を用いたので、ロープ９の振れ角αや捻れ角βに応じた形状のロープ溝１３ａ，１４ａをロープ９との摩擦により容易に形成することができ、ロープ溝１３ａ，１４ａとロープ９との隙間を必要最小限にすることができる。
【００１７】
このように、ロープ９との摩擦によりロープ溝１３ａ，１４ａを形成する構造を採ると、ロープ９が鉛直でない場合は、例えば図６に示すように、ロープ溝１３ａの上端部とロープ９との間に隙間が生じるが、この隙間は下方へ行くほど小さくなるので、綱車６の溝に異物が噛み込むのは防止できる。従って、機器のレイアウトによってロープ９に振れ角αや捻れ角βが生じる場合にも、調整することなく、ロープ９とロープ溝１３ａ，１４ａとの間の隙間を小さくすることができる。
【００１８】
実施の形態２．
次に、図７はこの発明の実施の形態２によるエレベータのかご２が最下階に停止した状態を示す側面図、図８は図７のかご２が最上階に停止した状態を示す側面図、図９は図７の要部を拡大して示す斜視図、図１０は図７のかご２の移動によるロープ９の振れ角の変化を示す説明図である。
【００１９】
図において、異物噛み込み防止装置１０ａ，１０ｂは、一対のかご吊り車４の近傍に設けられている。保持枠１１は、ロープ９と干渉しない位置で各かご吊り車４の支持枠１５に固定されている。異物噛み込み防止装置１０ａ，１０ｂの構成は、実施１の形態と同様である。
【００２０】
このように、異物噛み込み防止装置１０ａ，１０ｂをかご吊り車４の近傍に設けた場合も、各ロープ９を所定の長さ範囲に渡って囲むように第１及び第２の遮蔽部材１３，１４が設けられているので、様々な方向からの異物を排除することができ、各ロープ９とかご吊り車４との間への異物の噛み込みをより確実に防止することができる。
【００２１】
ここで、図７のレイアウトでは、かご返し車７がかご吊り車４の真上からずれた位置に設置されているため、ロープ９は、振れ角αを持っている。また、かご吊り車４におけるロープ９の振れ角αは、かご２が最下階に停止した場合にα１となり、かご２が最上階に停止した場合にα２となる。即ち、かご吊り車４におけるロープ９の振れ角αは、図１０に示すように、かご２の上下運動によって変化する。さらに、図７のレイアウトでは、かご吊り車４の回転軸とかご返し車７の回転軸とが捻れの関係にあるため、ロープ９は、捻れ角β（図示せず）を持っている。
【００２２】
しかしながら、第１及び第２の遮蔽部材１３，１４の材料としてロープ９との摩擦で摩耗し易い材料を用いることにより、かご２の上下運動によってロープ９の振れ角αや捻れ角βが変化する場合にも、ロープ９の振れ角αや捻れ角βに応じた形状のロープ溝１３ａ，１４ａをロープ９との摩擦により容易に形成することができ、ロープ溝１３ａ，１４ａとロープ９との隙間を必要最小限にすることができる。
【００２３】
なお、ロープ溝１３ａ，１４ａは、第１及び第２の遮蔽部材１３，１４のいずれか一方のみに形成してもよい。
また、第１及び第２の遮蔽部材１３，１４の材質は、上記の例に限定されない。例えば、弾力材（例えばスポンジ状の弾性体）のものであってもよく、その場合、第１及び第２の遮蔽部材１３，１４には、ロープ溝１３ａ，１４ａを設けることはせずに、第１及び第２の遮蔽部材１３，１４をロープ９の形状に合わせて変形させてもよい。これにより、異物遮蔽体１２の上端部とロープ９との間への隙間をさらに小さくして、ロープ９とかご吊り車４との間の異物の噛み込みをより効果的に防止することができる。
さらに、上記の例では、２：１ローピング方式のエレベータ装置を示したが、この発明の異物噛み込み防止装置１０ａ，１０ｂは、他のローピング方式、例えば１：１ローピング方式のエレベータ装置にも適用できる。
【図面の簡単な説明】
【００２４】
【図１】この発明の実施の形態１によるエレベータを示す側面図である。
【図２】図１の巻上機を拡大して示す斜視図である。
【図３】図２の異物噛み込み防止装置を示す分解斜視図である。
【図４】図２の要部を示す側面図である。
【図５】図１の要部を拡大して示す斜視図である。
【図６】図４の第１及び第２の遮蔽部材を示す側面図である。
【図７】この発明の実施の形態２によるエレベータのかごが最下階に停止した状態を示す側面図である。
【図８】図７のかごが最上階に停止した状態を示す側面図である。
【図９】図７の要部を拡大して示す斜視図である。
【図１０】図７のかごの移動によるロープの振れ角の変化を示す説明図である。
【符号の説明】
【００２５】
４  かご吊り車（車）、６  綱車（車）、９  ロープ、１０ａ，１０ｂ  異物噛み込み防止装置、１１  保持枠、１２  異物遮蔽体、１３  第１の遮蔽部材、１４  第２の遮蔽部材、１３ａ，１４ａ  ロープ溝。
【図１】
2009274809.tif 000003
【図２】
2009274809.tif 000004
【図３】
2009274809.tif 000005
【図４】
2009274809.tif 000006
【図５】
2009274809.tif 000007
【図６】
2009274809.tif 000008
【図７】
2009274809.tif 000009
【図８】
2009274809.tif 000010
【図９】
2009274809.tif 000011
【図１０】
2009274809.tif 000012